(57)【特許請求の範囲】
【請求項１】
柄（１）を含み、前記柄の下部に取苗ユニットが設けられている移植機であって、
前記取苗ユニットは、固定挿入部材（２）と、可動挿入部材（３）と、駆動ユニットと、を含み、
固定挿入部材（２）の上部は、柄（１）の下部に固定されて設けられ、
可動挿入部材（３）は固定挿入部材（２）と間隔を空けて設けられ、可動挿入部材（３）と固定挿入部材（１）との間に植物の苗を収容する空間が形成され、可動挿入部材（３）の上部は柄（１）の下部に回動可能に設けられ、
駆動ユニットは可動挿入部材（３）と接続され、可動挿入部材（３）の上部を柄の下部に沿って揺動させることで、可動挿入部材（３）の下端部と固定挿入部材（２）の下端部との距離が縮められ、
前記駆動ユニットは、駆動本体（４）と、ペダルユニット（５）と、第１回動軸（６）と、第２回動軸（７）と、第３回動軸（８）と、を含み、
前記駆動本体（４）には貫通孔（４１）が設けられ、柄（１）の下端部は駆動本体（４）の貫通孔（４１）に固定されて設けられ、駆動本体（４）には、第１駆動軸孔（４２）と、第２駆動軸孔（４３）と、第３駆動軸孔（４４）と、が設けられ、
ペダルユニット（５）の第１端には、第１ペダル軸孔（５１）と、第２ペダル軸孔（５２）とが設けられ、
前記可動挿入部材（３）の上部には、第１可動挿入部材軸孔（３１）と第２可動挿入部材軸孔（３２）とが設けられ、第１可動挿入部材軸孔（３１）及び第２可動挿入部材軸孔（３２）の中心の位置は同一鉛直線上になく、
第１回動軸（６）は、ペダルユニット（５）の第１端の第１ペダル軸孔（５１）と、駆動本体（４）の第１駆動軸孔（４２）と、を貫通して設けられ、
第２回動軸（７）は、ペダルユニット（５）の第１端の第２ペダル軸孔（５２）と、駆動本体（４）の第２駆動軸孔（４３）と、可動挿入部材（３）の第１可動挿入部材軸孔（３１）と、を貫通して設けられ、
第３回動軸（８）は、駆動本体（４）の第３駆動軸孔（４４）と、前記可動挿入部材（３）の第２可動挿入部材軸孔（３２）と、を貫通して設けられる、ことを特徴とする、
移植機。
【請求項２】
前記第２可動挿入部材軸孔（３２）は細長い形状を呈し、且つ傾斜して設けられており、
前記第２駆動軸孔（４３）も細長い形状を呈し、且つ傾斜して設けられており、
かつ、第２可動挿入部材軸孔（３２）及び第２駆動軸孔（４３）の傾斜方向は反対である、ことを特徴とする、
請求項１に記載の移植機。
【請求項３】
前記第２駆動軸孔（４３）及び第２可動挿入部材軸孔（３２）は、いずれも細長いアーチ形状の構造である、ことを特徴とする、
請求項２に記載の移植機。
【請求項４】
前記ペダルユニット（５）の第１端は、前記駆動本体（４）に外嵌される、ことを特徴とする、
請求項１に記載の移植機。
【請求項５】
前記ペダルユニット（５）は、固定ペダル部材（５ａ）と、固定ペダル部材（５ａ）に回動可能且つ折り畳み可能に接続された可動ペダル部材（５ｂ）と、を含み、固定ペダル部材の第１端はペダルユニットの第１端であり、固定ペダル部材の第２端は可動ペダル部材に接続されている、ことを特徴とする、
請求項１に記載の移植機。
【請求項６】
土押し装置をさらに含み、前記土押し装置は土押しロッド（９）を含み、土押しロッド（９）の中間部が柄（１）に運動可能に外嵌され、土押しロッド（９）の下部には土押し板（１０）が接続され、土押し板（１０）には、固定挿入部材孔と可動挿入部材孔とが設けられ、固定挿入部材（２）は固定挿入部材孔に運動可能に設けられ、可動挿入部材（３）は可動挿入部材孔に運動可能に設けられる、ことを特徴とする、
請求項１から５のいずれか１項に記載の移植機。
【請求項７】
前記土押しロッド（９）の中間部に、突起する補助用土押しペダルプレス部（９１）が設けられる、ことを特徴とする、
請求項６に記載の移植機。
【請求項８】
前記土押し装置は、柄（１）に運動可能に外嵌され、且つ土押しロッド（９）の上端部に固定接続された持ち手カバー（１１）を含む、ことを特徴とする、
請求項６に記載の移植機。
【請求項９】
前記固定挿入部材（２）は間隔を空けて設けられた２本の金属ピンであり、前記可動挿入部材（３）は間隔を空けて設けられた２枚の金属刃であること、を特徴とする、
請求項１から５のいずれか１項に記載の移植機。
【発明の詳細な説明】
【技術分野】
【０００１】
本発明は移植機に関する。
【背景技術】
【０００２】
農作物、観賞用植物、果樹などの植物は、苗の時期に、植え付けのために苗の移し替えや植え足しを行う必要が往々にして出てくる。中国実用新案第２０１４２０４７８９７８.４号に公開されている果樹用移植機は、取苗管と、取苗管の両側に取り付けられた接続ロッドと、接続ロッドに滑合する押土装置とを含む。取苗管全体は、中空の管状の構造であり、その上端付近にペダルリングが固定されて設けられている。押土装置は、接続ロッドに遊合、滑合する押土ペダルを含む。この押土ペダルの底部には、押土リング接続ロッドが溶接されている。この押土リング接続ロッドは、２本の接続ロッドの間に位置し、その下端と押土リングとが溶接により接続されている。押土リングは、取苗管に遊合、滑合されている。接続ロッドの上端には、持ち手が溶接されている。操作の際、まず取苗管を苗木の周囲に垂直に挿入してペダルリングを踏み、取苗管全体が苗木の周囲の土壌に垂直に挿入されるようにする。挿入過程において、接続ロッドに外嵌接続された押土ペダルが押土リングに押されて次第に上に移動する。取苗管全体は、完全に土壌に入り込むまで挿入されればよい。その後、持ち手を揺らして、取苗管の底層の土壌に割れ目を生じさせる。そして、取苗管全体を垂直に取り出す。最後に足で押土ペダルを踏むと、押土リング接続ロッドと押土リングとに押されて、苗木と苗木に付随する土が取苗管から出てくる。こうして、苗木の根元周囲の土壌を荒らさずに移植を実現することができ、苗木の生育率を高めることができる。この構造の欠点は、以下にある。取苗管全体の構造が中空の管状であるため、その上下の直径は同じである。取苗管を土に挿入した後、持ち手を揺らして取苗管の底層の土壌に割れ目を生じさせ、取苗管を垂直に取り出す。このようにしても、土壌の密度が粗い場合や、土壌ブロック全体の重量が比較的重い場合、苗木を含む土壌ブロック全体を取り出す時に、苗木を含む土壌が取苗管から落下しやすく、取り出し操作が容易ではない。
【発明の概要】
【発明が解決しようとする課題】
【０００３】
本発明が解決しようとする技術的課題は、上述の既存技術に対し、苗木と土壌を取り出す過程で、それらが落下しない移植機を提供することにある。
【課題を解決するための手段】
【０００４】
本発明が上述の技術的課題を解決するために採用した技術的手段は以下のとおりである。
【０００５】
移植機は、柄を含み、柄の下部に取苗ユニットが設けられており、以下を特徴とする。
【０００６】
取苗ユニットは、固定挿入部材と、可動挿入部材と、駆動ユニットと、を含む。
【０００７】
固定挿入部材の上部は、柄の下部に固定されて設けられている。
【０００８】
可動挿入部材は、固定挿入部材と間隔を空けて設けられている。可動挿入部材と固定挿入部材との間に植物の苗を収容する空間が形成される。可動挿入部材の上部は、揺動可能に柄の下部に設けられている。
【０００９】
駆動ユニットは可動挿入部材と接続され、可動挿入部材の上部を柄の下部に沿って揺動させることで、可動挿入部材の下端部と固定挿入部材の下端部との距離が縮められる。
【００１０】
好ましくは、駆動ユニットは、駆動本体と、ペダルユニットと、第１回動軸と、第２回動軸と、第３回動軸と、を含む。
【００１１】
駆動本体には貫通孔が設けられる。柄の下端部は駆動本体の貫通孔に固定されて設けられている。駆動本体には、第１駆動軸孔と、第２駆動軸孔と、第３駆動軸孔と、が設けられる。
【００１２】
ペダルユニットの第１端には、第１ペダル軸孔と、第２ペダル軸孔とが設けられている。
【００１３】
可動挿入部材の上部には、第１可動挿入部材軸孔と、第２可動挿入部材軸孔とが設けられている。第１可動挿入部材軸孔及び第２可動挿入部材軸孔の中心の位置は、同一鉛直線上にない。
【００１４】
第１回動軸は、ペダルユニットの第１端の第１ペダル軸孔と、駆動本体の第１駆動軸孔と、を貫通して設けられている。
【００１５】
第２回動軸は、ペダルユニットの第１端の第２ペダル軸孔と、駆動本体の第２駆動軸孔と、可動挿入部材の第１可動挿入部材軸孔と、を貫通して設けられている。
【００１６】
第３回動軸は、駆動本体の第３駆動軸孔と、可動挿入部材の第２可動挿入部材軸孔と、を貫通して設けられている。
【００１７】
好ましくは、第２可動挿入部材軸孔は細長い形状を呈し、且つ傾斜して設けられる。第２駆動軸孔も細長い形状を呈し、且つ傾斜して設けられる。また、第２可動挿入部材軸孔及び第２駆動軸孔の傾斜方向は反対である。
【００１８】
第２駆動軸孔及び第２可動挿入部材軸孔は、いずれも細長いアーチ形状の構造である。
【００１９】
ペダルユニットの第１端は、駆動本体に外嵌される。
【００２０】
ペダルユニットは、固定ペダル部材と、固定ペダル部材に回動可能且つ折り畳み可能に接続された可動ペダル部材と、を含む。固定ペダル部材の第１端はペダルユニットの第１端であり、固定ペダル部材の第２端は可動ペダル部材に接続されている。
【００２１】
本発明は、土押し装置をさらに含む。土押し装置は土押しロッドを含む。土押しロッドの中間部は、柄に運動可能に外嵌される。土押しロッドの下部には、土押し板が接続される。土押し板には、固定挿入部材孔と可動挿入部材孔とが設けられる。固定挿入部材は、固定挿入部材孔に運動可能に設けられる。可動挿入部材は、可動挿入部材孔に運動可能に設けられる。
【００２２】
土押しロッドの中間部に、突起する補助用土押しペダルプレス部が設けられる。
【００２３】
土押し装置は、柄に運動可能に外嵌され、且つ土押しロッドの上端部に固定接続された持ち手カバーを更に含む。
【００２４】
固定挿入部材は、間隔を空けて設けられた２本の金属ピンである。可動挿入部材は、間隔を空けて設けられた２枚の金属刃である。
【００２５】
金属刃は下部に尖端を有し、外縁は円弧面であり、円弧面には波状歯が設けられる。
【発明の効果】
【００２６】
既存の技術と比べ、本発明は以下の特長を有する。固定挿入部材と可動挿入部材とが設けられることと、駆動ユニットによって可動挿入部材の上部を柄の下部に沿って揺動させることで、可動挿入部材の下端部と固定挿入部材の下端部との距離を縮めることができる。固定挿入部材及び可動挿入部材が土壌に挿入された後、駆動ユニットにより可動挿入部材の下端部と固定挿入部材の下端部との距離を縮められるので、苗を取った後に、苗木を含む土壌が固定挿入部材及び可動挿入部材の下端部から落下することがない。操作も簡便であり、高効率で、良い効果を奏する。
【図面の簡単な説明】
【００２７】
【図１】本発明の実施例に係る移植機の構造を示す斜視図である（普段の状態）。
【図２】本発明の実施例に係る移植機の斜視分解図である。
【図３】本発明の実施例に係る駆動ユニットの斜視分解図である。
【図４】取苗ユニットの断面図である（普段の状態）。
【図５】本発明の実施例の移植機の構造を示す斜視図である（苗を取っている状態）。
【図６】取苗ユニットの断面図である（苗を取っている状態）。
【発明を実施するための形態】
【００２８】
以下、図面と実施例とを合わせて、本発明に対して更に詳しく説明をする。
【００２９】
図１〜６に示すように、移植機は、柄１を含む。柄の下部には、取苗ユニットが設けられる。この取苗ユニットは、以下を含む。
【００３０】
固定挿入部材２。固定挿入部材２の上部は、柄１の下部に固定されて設けられている。
【００３１】
可動挿入部材３。可動挿入部材３は、固定挿入部材２と間隔を空けて設けられ、可動挿入部材３と固定挿入部材２との間に植物の苗を収容する空間が形成される。可動挿入部材３の上部は、柄１の下部に回動可能に設けられている。
【００３２】
駆動ユニット。駆動ユニットは、可動挿入部材３と接続されており、可動挿入部材３の上部を柄の下部に沿って揺動させることにより、可動挿入部材３の下端部と固定挿入部材２の下端部との距離が縮められる。
【００３３】
本実施例では、固定挿入部材２は、間隔を空けて設けられた２本の金属ピンであり、可動挿入部材３は、間隔を空けて設けられた２枚の金属刃である。金属刃は、下部に尖端を有し、外縁は円弧面であり、円弧面は波状歯を有している。このようにすると土壌の中に挿入しやすい。
【００３４】
駆動ユニットは、以下を含む。
【００３５】
駆動本体４。駆動本体４には貫通孔４１が設けられる。柄１の下端部は、駆動本体４の貫通孔４１に固定されて設けられる。駆動本体４には、第１駆動軸孔４２と、第２駆動軸孔４３と、第３駆動軸孔４４と、が設けられる。ここで、第１駆動軸孔４２と第３駆動軸孔４４とはいずれも円形の孔であり、第２駆動軸孔４３は、細長いアーチ形状の孔であり、且つ長手方向に傾斜して設けられている。
【００３６】
ペダルユニット５。ペダルユニット５の第１端には、第１ペダル軸孔５１と第２ペダル軸孔５２とが設けられる。第１ペダル軸孔５１及び第２ペダル軸孔５２は、いずれも円形の孔である。
【００３７】
可動挿入部材３の上部には、第１可動挿入部材軸孔３１と第２可動挿入部材軸孔３２とが設けられる。第１可動挿入部材軸孔３１及び第２可動挿入部材軸孔３２の中心の位置は、同一鉛直線上にはない。第１可動挿入部材軸孔３１は円形の孔であり、第２可動挿入部材軸孔３２は、細長いアーチ形状の孔であり、且つ長手方向に傾斜して設けられている。第２可動挿入部材軸孔３２及び第２駆動軸孔４３の傾斜方向は反対である。
【００３８】
第１回動軸６。第１回動軸６は、ペダルユニット５の第１端の第１ペダル軸孔５１と、駆動本体４の第１駆動軸孔４２と、を貫通して設けられている。
【００３９】
第２回動軸７。第２回動軸７は、ペダルユニット５の第１端の第２ペダル軸孔５２と、駆動本体４の第２駆動軸孔４３と、可動挿入部材３の第１可動挿入部材軸孔３１と、を貫通して設けられている。
【００４０】
第３回動軸８。第３回動軸８は、駆動本体４の第３駆動軸孔４４と、可動挿入部材３の第２可動挿入部材軸孔３２と、を貫通して設けられている。
【００４１】
ペダルユニット５は、固定ペダル部材５ａと、固定ペダル部材５ａに回動可能且つ折り畳み可能に接続された可動ペダル部材５ｂと、を含む。固定ペダル部材の第１端はペダルユニットの第１端であり、固定ペダル部材の第２端は可動ペダル部材と接続されている。ペダルユニット５の第１端は、駆動本体４に外嵌されている。
【００４２】
また、本実施例の移植機は、土押し装置をさらに含む。この土押し装置は、土押しロッド９を含む。土押しロッド９の中間部は、柄１に運動可能に外嵌される。土押しロッド９の下部には、土押し板１０が接続される。土押し板１０には、固定挿入部材孔と可動挿入部材孔とが設けられる。固定挿入部材２は固定挿入部材孔に運動可能に設けられ、可動挿入部材３は可動挿入部材孔に運動可能に設けられる。土押しロッド９の中間部には、突起する土押し用補助ペダルプレス部９１が設けられる。柄１の外には、土押しロッド９の上端部に固定接続された持ち手カバー１１が、運動可能に設けられている。
【００４３】
使用時には、手で柄１を握り、固定挿入部材２と可動挿入部材３とを共に垂直に苗木の根毛の中心に近接する周辺に挿入する（５ａの位置を足で踏んで力を入れてもよい）。その後、柄１を揺らして片側（好ましいのは、使用者の体寄りの側）に傾斜させ、ペダルユニット５の第２端（自由端）を地面に接触させる。引き続き、柄１に同方向に傾斜した揺動力を与え、ペダルユニット５の第２端に上向きの圧力がかかるようにする。このとき、ペダルユニット５が押されて第１回動軸６回りに回動する。駆動本体４が柄１の下端に固定されているので、駆動本体４は移動も回動もしない。ペダルユニット５が押されることにより、第２回動軸７が駆動本体４の第２駆動軸孔４３内を移動し、可動挿入部材３が第２回動軸７回りに回動する。第２回動軸７が下へ移動し突き当たりまで到達すると、それに同期して、第３回動軸８が可動挿入部材３の上端の第２可動挿入部材軸孔３２に沿って移動し、突き当たりまで到達する。且つ、第２回動軸７が回動することにより、可動挿入部材３の下端が固定挿入部材２の下端寄りの方向へ移動する。図４、５を参照されたい。このようにして、可動挿入部材３の下端部と固定挿入部材２の下端部との距離が縮まるので、「つかみ取り」機能を実現することができ、簡単に取苗ユニットの底層の土壌に割れ目を生じさせることができる。その後、移植機を取り出して、持ち手１１（又は土押し補助ペダル９１）を用いて、苗木を押し出して目的の位置に置き、可動挿入部材３の下端部と固定挿入部材２の下端部との距離を元の状態に戻して、苗木を含む土壌ブロック全体を簡単に下ろすことができる。また、土押し板により、固定挿入部材と可動挿入部材とに付着した泥を簡単に落とすことができる。その後、持ち手１１を上方向に引っ張って、元の位置に戻す。
【先行技術文献】
【特許文献】
【００４４】
【特許文献１】中国実用新案第２０１４２０４７８９７８.４号明細書
【図１】
0006853238.tif 000002
【図２】
0006853238.tif 000003
【図３】
0006853238.tif 000004
【図４】
0006853238.tif 000005
【図５】
0006853238.tif 000006
【図６】
0006853238.tif 000007